(57)【要約】【課題】電子レンジで加熱した後の高温状態の包装袋を安全かつ容易に取り出すことを可能とした易取出し性を有する紙カートンを提供すること。【解決手段】前面パネル１、背面パネル２および左右の側面パネル３，４からなる胴部の上下を天面パネル８と底面パネルで閉鎖される偏平箱型の形状であり、背面パネル２から前面パネル１および左右の側面パネル３，４にかけて設けられた帯状のジッパーＺを有しており、ジッパーＺは収納した包装袋の側方シール部分が露出する位置に形成されており、ジッパーＺによる開封に伴い、背面パネル２から側面パネル３，４および前面パネル１にかけて帯状の開口が形成される。形成された帯状の開口における側方部分から包装袋の露出した側方シール部分を摘んで該包装袋を取り出せることから、電子レンジで加熱した後で高温状態の包装袋を安全かつ容易に取り出すことができる。【選択図】図１
2010018306.tif 000002
【特許請求の範囲】
【請求項１】
電子レンジにより加熱調理する包装袋の外箱として用いられる紙カートンであって、該紙カートンは、前面パネル、背面パネルおよび左右の側面パネルからなる胴部の上下を天面パネルと底面パネルで閉鎖される偏平箱型の形状であり、背面パネルから前面パネルおよび左右の側面パネルにかけて設けられた帯状のジッパーを有しており、該ジッパーは収納した包装袋の側方シール部分が露出する位置に形成されており、ジッパーによる開封に伴い、背面パネルから側面パネルおよび前面パネルにかけて帯状の開口が形成されるようになっていることを特徴とする紙カートン。
【請求項２】
ジッパーは、その一端と他端が背面パネルにおける左右の側面パネル寄りに位置するように形成されていることを特徴とする請求項１に記載の紙カートン。
【請求項３】
ジッパーは、前面パネルと天面パネルとの稜線部分を含んで形成されていることを特徴とする請求項１又は２に記載の紙カートン。
【請求項４】
ジッパーは、背面パネルに形成される部分と前面パネルに形成される部分との高さが異なり、かつ、側面パネルのジッパーが斜め方向となるように形成されていることを特徴とする請求項１乃至３のいずれかに記載の紙カートン。
【発明の詳細な説明】
【技術分野】
【０００１】
本発明は、板紙からなる紙カートンの技術分野に属し、詳しくは、電子レンジにより加熱調理する包装袋の外箱として用いられる紙カートンに関する。
【背景技術】
【０００２】
従来より、レトルト食品等の調理済み食品を密封包装した包装袋を収納して販売される紙カートンであって、その包装袋を収納した状態、若しくは、紙カートンの一部を開封して包装袋の一部を露出した状態で、電子レンジにより包装袋を加熱調理することを可能にしたタイプの紙カートンが知られている。
【０００３】
このような紙カートンの一例として、例えば特許文献１，２に記載のものがある。これらの文献に示される扁平箱形の紙カートンは、内圧を利用して剥離開口させる弱シール部又は脆弱部を有する背貼り部を蒸気逃がし部として設けた包装袋の外装に用いられる。そして、この紙カートンに入った包装袋を電子レンジにより加熱するに際しては、紙箱に設けたジッパーを切除して、包装袋の一部を外部に露出させた状態で、電子レンジのターンテーブル上に配置するとともに、加熱調理するようになっている。
【０００４】
このようにターンテーブル上で包装袋が加熱されるに伴い、包装袋はその内部蒸気圧で背貼り部が剥離開口し、そこから圧抜きのための水蒸気を外部に向けて円滑に逃がすことができ、また紙カートン自体は熱くならないので、加熱調理後は、紙カートンを電子レンジから容易に取り出すことが可能である。
【０００５】
【特許文献１】特開２００１−３９４７６号公報
【特許文献２】特開２００２−１９７７６号公報
【発明の開示】
【発明が解決しようとする課題】
【０００６】
上記した特許文献１，２に記載の紙カートンは、調理済み食品を充填した包装袋を紙カートンに収容した状態で販売される。そして、電子レンジでの加熱時には、天壁の部分を開封した後、包装袋を入れたまま、ターンテーブル上で立てることなく寝かせた状態で加熱するようになっているが、加熱してから電子レンジから取り出すと、カートン内部の包装袋は依然として高温の状態であるため、包装袋を素手で摘んで紙カートンから取り出そうとすると、指先を火傷する恐れがある。このため、包装袋の端部分を指先で摘みながら紙カートンから慎重に取り出す必要があった。
【０００７】
ところが、紙カートンの開封部分は、主に前面パネルに設けられているため、包装袋を紙カートンから取り出す際に比較的把持しやすい包装袋の左右の側方シール部分を摘むことが困難である。
【０００８】
本発明は、このような問題点に鑑みてなされたものであり、その目的とするところは、電子レンジで加熱した後の高温状態の包装袋を安全かつ容易に取り出すことを可能とした易取出し性を有する紙カートンを提供することにある。
【課題を解決するための手段】
【０００９】
請求項１に記載の発明である紙カートンは、電子レンジにより加熱調理する包装袋の外箱として用いられる紙カートンであって、該紙カートンは、前面パネル、背面パネルおよび左右の側面パネルからなる胴部の上下を天面パネルと底面パネルで閉鎖される偏平箱型の形状であり、背面パネルから前面パネルおよび左右の側面パネルにかけて設けられた帯状のジッパーを有しており、該ジッパーは収納した包装袋の側方シール部分が露出する位置に形成されており、ジッパーによる開封に伴い、背面パネルから側面パネルおよび前面パネルにかけて帯状の開口が形成されるようになっていることを特徴としている。
【００１０】
請求項２に記載の発明である紙カートンは、請求項１に記載の紙カートンにおいて、ジッパーは、その一端と他端が背面パネルにおける左右の側面パネル寄りに位置するように形成されていることを特徴としている。
【００１１】
請求項３に記載の発明である紙カートンは、請求項１又は２に記載の紙カートンにおいて、ジッパーは、前面パネルと天面パネルとの稜線部分を含んで形成されていることを特徴としている。
【００１２】
請求項４に記載の発明である紙カートンは、請求項１乃至３のいずれかに記載の紙カートンにおいて、ジッパーは、背面パネルに形成される部分と前面パネルに形成される部分との高さが異なり、かつ、側面パネルのジッパーが斜め方向となるように形成されていることを特徴としている。
【発明の効果】
【００１３】
請求項１に記載の発明である紙カートンは、電子レンジにより加熱調理する包装袋の外箱として用いられる紙カートンであって、該紙カートンは、前面パネル、背面パネルおよび左右の側面パネルからなる胴部の上下を天面パネルと底面パネルで閉鎖される偏平箱型の形状であり、背面パネルから前面パネルおよび左右の側面パネルにかけて設けられた帯状のジッパーを有しており、該ジッパーは収納した包装袋の側方シール部分が露出する位置に形成されており、ジッパーによる開封に伴い、背面パネルから側面パネルおよび前面パネルにかけて帯状の開口が形成されるようになっていることを特徴としているので、形成された帯状の開口における側方部分から包装袋の露出した側方シール部分を摘んで該包装袋を取り出せることから、電子レンジで加熱した後で高温状態の包装袋を安全かつ容易に取り出すことができる。
【００１４】
請求項２に記載の発明である紙カートンは、請求項１に記載の紙カートンにおいて、ジッパーは、その一端と他端が背面パネルにおける左右の側面パネル寄りに位置するように形成されていることを特徴としているので、上記効果に加えて、背面パネルの端部からジッパーの破断を開始できることになり、容易に開封できるという効果を奏する。
【００１５】
請求項３に記載の発明である紙カートンは、請求項１又は２に記載の紙カートンにおいて、ジッパーは、前面パネルと天面パネルとの稜線部分を含んで形成されていることを特徴としているので、上記効果に加えて、ジッパーの開封に伴い、前面パネルに大きな開口を形成することになり、その前面パネルの開口から包装袋を略垂直に取り出すことが可能であり、高温状態の包装袋Ｐをさらに安全かつ容易に取り出すことができるという効果を奏する。
【００１６】
請求項４に記載の発明である紙カートンは、請求項１乃至３のいずれかに記載の紙カートンにおいて、ジッパーは、背面パネルに形成される部分と前面パネルに形成される部分との高さが異なり、かつ、側面パネルのジッパーが斜め方向となるように形成されていることを特徴としているので、上記効果に加えて、包装袋の側方シール部分が持ちやすくなることから、高温状態の包装袋をより安全かつ容易に取り出すことができるという効果を奏する。
【発明を実施するための最良の形態】
【００１７】
次に、本発明の実施形態について図面を参照しながら詳細に説明する。
【００１８】
図１は本発明に係る紙カートンの一例を示すもので、（ａ）は紙カートンの前方斜視図、（ｂ）は同じく後方斜視図、図２は図１の紙カートンを開封状態で示す前方斜視図、図３は図１の紙カートンを形成するブランクの展開図である。
【００１９】
この紙カートンＣは、図１に示すように、前面パネル１、背面パネル２および左右の側面パネル３，４からなる胴部の上下を天面パネル８と底面パネル９で閉鎖した偏平箱型の形状をしている。そして、その内部には、電子レンジの加熱調理に好適なフィルム状の袋にレトルト食品等の調理済み食品を充填し、周囲で上下左右にヒートシールを施した包装袋Ｐを収容している。
【００２０】
消費者は、包装袋Ｐを電子レンジにより加熱する際に、図２に示すように、紙カートンＣをその胴部に形成されたジッパーＺのところで開封して包装袋Ｐの一部を露出させ、その露出状態で電子レンジのターンテーブル上に横にして設置し、数分間の電子レンジでの加熱により簡単にレトルト食品等を加熱調理することが可能である。
【００２１】
特に、この紙カートンＣは、電子レンジにより加熱した後の包装袋Ｐが高温状態であっても、その包装袋Ｐを紙カートンＣから安全かつ容易に取り出すことが可能であり、包装袋Ｐを取り出す際に手間の掛かることがなく、さらには、包装袋Ｐを把持する際に生じる火傷等の危険性を生じることがない。
【００２２】
すなわち、紙カートンＣは、電子レンジにより加熱調理する包装袋Ｐの外箱として用いられる紙カートンＣであって、紙カートンＣは、前面パネル１、背面パネル２および左右の側面パネル３，４からなる胴部の上下を天面パネル８と底面パネル９で閉鎖される偏平箱型の形状であり、背面パネル２から前面パネル１および左右の側面パネル３，４にかけて設けられた帯状のジッパーＺを有しており、ジッパーＺは収納した包装袋Ｐの側方シール部分Ｐａが露出する位置に形成されており、ジッパーＺによる開封に伴い、背面パネル２から側面パネル３，４および前面パネル１にかけて帯状の開口αが形成されるようになっているので、その形成された帯状の開口αにおける側方部分から包装袋Ｐの露出した側方シール部分Ｐａを摘んで持ち、包装袋Ｐを取り出し易く構成したものであり、電子レンジでの加熱調理後の高温状態の包装袋Ｐを安全かつ容易に取り出すことができる。
【００２３】
特に、本発明の紙カートンＣは、電子レンジでの加熱に伴い、内部蒸気圧が所定圧力を越えると背シール部分Ｐｂの一部が開口して蒸気逃がし部を形成するタイプの包装袋Ｐを収納する外箱として用いることが好適である。たとえこのような包装袋Ｐが電子レンジでの調理後に高温状態であっても、紙カートンＣはその背面パネル２から左右の側面パネル３，４および前面パネル１にかけて帯状の開口αを形成するため、側方シール部分Ｐａを持って包装袋Ｐを安全に取り出すことが可能である。
【００２４】
図１の紙カートンＣを形成するブランクは、図３に示すように、前面パネル１、背面パネル２および左右の側面パネル３，４がそれぞれ折線（図中縦方向の点線）を介して連設しており、さらに、前面パネル１には貼合パネル５が連設している。また、前面パネル１の上下には天面内側パネル６と底面内側パネル７が連設され、背面パネル２の上下には天面外側パネル８と底面内側パネル９が連設されており、側面パネル３の上下にはそれぞれ折込み片１０，１１が連設され、側面パネル４の上下にはそれぞれ折込み片１２，１３が連設されている。
【００２５】
そして、背面パネル２には、ツナギ部分がある半円状の切込み線ａからなるジッパー端Ｚａが形成されており、そのジッパー端Ｚａを起点に、左右パネル３，４および前面パネル１にかけて、連続する「く」の字状の切込みによる上下の破断線ｂ，ｃにより帯状のジッパーＺが形成されている。これにより、カートン１０を組み立てた際に、図１に示すように、胴部周囲に帯状のジッパーＺが形成され、紙カートンＣの開封時に際して、図２に示すように、背面パネル２の一部から、側面パネル３、前面パネル１、側面パネル４にかけて、帯状の開口αが形成される。図示のジッパーＺは、前面パネル１の中央部から「く」の字状の切込みが左右対称になっており、左右両方から半分ずつ開けることができるものであるが、一方向にして一方のジッパー端Ｚａから開けるようにしてもよい。なお、背面パネル２に設けてある折線（ジッパー端Ｚａを繋ぐ横方向の点線）は、開封後に頭部を回動させるヒンジとなるもので、これがあると開封後に包装袋Ｐを出しやすくなるが、省略しても構わない。
【００２６】
このように、帯状のジッパーＺは、紙カートンＣの内部に収容される包装袋Ｐの側方シール部分Ｐａ（包装袋の左右のヒートシール部分）が露出する位置に形成されているため、紙カートンＣの開封に伴って形成される帯状の開口αから、包装袋Ｐの側方シール部分Ｐａが露出するようになっている。したがって、電子レンジで加熱した後の高温状態の包装袋Ｐにおける、比較的温度が低い左右の側方シール部分Ｐａを指先で把持して、包装袋Ｐを安全かつ容易に紙カートンＣから取り出すことが可能である。
【００２７】
また、帯状のジッパーＺは、背面パネル２において一端と他端の２つのジッパー端Ｚａを有しているので、電子レンジで加熱した後の高温状態の包装袋Ｐを両手で持ってさらに安全かつ容易に取り出すことができる。
【００２８】
また、帯状のジッパーＺは、前面パネル１において前面パネル１と天面パネル５の稜線部分を含むようにして切込みｂが形成されており、ジッパーＺの開封に伴い、前面パネル１に略台形状の大きな開口αを形成するため、前面パネル１の開口αから、包装袋Ｐを略垂直に取り出すことが可能である。よって、電子レンジで加熱した後の高温状態の包装袋Ｐをさらに安全かつ容易に紙カートンＣから取り出すことができる。
【００２９】
図３のブランクから紙カートンＣを組み立てる手順は次のようである。まず、原反から打ち抜いたブランクをサック貼りする。すなわち、ブランクを縦方向の２本の折線で畳むように折り曲げ、側面パネル４の裏側に貼合パネル５を貼り合わせた状態で折り畳む。そして、このサック貼り状態としたブランクを複数枚まとめて充填工程に搬送し、紙カートンの組立と包装袋の収納を行う。充填工程では、サック貼りしたブランクを図４のように角筒状に起こしてから、図５に示すように上下いずれかの端部を閉じて包装袋Ｐを収納した後、残った方の端部を閉じる。上部を閉じるには、折込み片１０，１２を内側に折り込んでから、内側天面パネル６を折り曲げてその上から天面パネル８を貼り合わせる。また、下部を閉じるには、折込み片１１，１３を折り込んでから、内側底面パネル７を折り曲げてその上から底面パネルを貼り合わせる。これにより図１（ａ）に示す紙カートンＣが形成される。
【００３０】
この紙カートンＣは、図１（ｂ）に示すように、ジッパー端Ｚａが背面パネル２の左右にそれぞれ形成されており、ジッパーＺの開封後において、背面パネル２の左右にそれぞれ開口αが形成される構成である。これにより、紙カートンＣに収容された状態の包装袋Ｐの左右の側方シール部分Ｐａを容易に把持することが可能であり、高温状態の包装袋Ｐであっても安全に取り出すことが可能である。
【００３１】
次に、図１に示す紙カートンＣを使用する際の手順について説明する。
【００３２】
まず、紙カートンＣを使用する際（電子レンジ調理する際）には、図６（ａ）に示すように、背面パネル２に形成された一方のジッパー端Ｚａを内方へと押し込み、この部分をつまんだ状態で、図６（ｂ）に示すように、ジッパーＺをその破断線ｂ，ｃに沿って開封することにより、図７に示すように、紙カートンＣをジッパーＺのところで開封することができる。
【００３３】
このように紙カートンＣを開封すると、カートン内部に収容された包装袋Ｐが、前面パネル１の開口αのみならず背面パネル２の開口αより露出した状態であるので、電子レンジでの加熱調理後の包装袋Ｐを紙カートンＣから取り出す際に、包装袋Ｐの側方シール部分Ｐａを把持した状態で取り出すことが可能である。
【００３４】
そして、紙カートンＣの内部に包装袋Ｐを収容した状態で、電子レンジのターンテーブル上に紙カートンＣを設置して適宜電子レンジによる加熱調理を行う。このようにして、電子レンジでの加熱調理を行った後、紙カートンＣから包装袋Ｐを取り出すが、この場合、紙カートンＣのジッパーＺを開封した際に生じる帯状の開口αが背面パネル２にも掛かって形成されており、さらには、帯状の開口αから包装袋Ｐの側方シール部分Ｐａが露出している。このため、図８に示すように、背面パネル２の開口αに指先が入り込み、包装袋Ｐの側方シール部分Ｐａを強固に把持することが可能である。したがって、電子レンジでの加熱調理後の包装袋Ｐの側方シール部分Ｐａを持つことで、高温状態の包装袋Ｐであっても、安全かつ容易に取り出すことができる。
【００３５】
また、帯状のジッパーＺは、紙カートンＣの背面パネル２において、ジッパーＺの一端と他端の２つのジッパー端Ｚａで形成される開口αを有しており、電子レンジでの加熱調理後の高温状態の包装袋Ｐを両手で持って安全かつ容易に取り出すことができる。
【００３６】
さらに、帯状のジッパーＺは、紙カートンＣの前面パネル１において、前面パネル１と天面パネル５との稜線部分を含んで略台形状の拡大部分を形成しており、ジッパーＺの開封に伴い、前面パネル１に大きな開口αを形成するため、前面パネル１の開口αから包装袋Ｐを略垂直に取り出すことが可能であり、高温状態の包装袋Ｐをさらに安全かつ容易に取り出すことができる。
【００３７】
このように、本発明の紙カートンＣは、電子レンジでの加熱調理後における高温状態の包装袋Ｐを安全かつ容易にから取り出すことが可能である。よって、本発明によれば、レトルト食品等の調理性および高温状態の包装袋Ｐの取扱性および安全性を向上した紙カートンＣを提供することができる。
【００３８】
本発明の紙カートンは、上記した例に限らず、例えば、図９に示す紙カートンＣのように、帯状のジッパーＺは、背面パネル２に形成されるジッパー端Ｚａと前面パネル１に形成されるジッパーＺとの高さが異なり、かつ、側面パネル３，４のジッパーＺが斜め方向に形成されたものであってもよい。このようなジッパーＺにより開口αを形成すると、包装袋Ｐの側方シール部分Ｐａを持ちやすく、高温状態の包装袋Ｐをより安全かつ容易に取り出すことが可能である。図示のジッパーＺは、図９（ａ）の如く前面パネル１を正面に見た場合に左側から右側へと破断されるジッパーである。そして、図９（ｂ）に示すように、背面パネル２に形成する左右のジッパー端Ｚａの形を変えて、始点と終点を取り違えないように分かりやすくしている。すなわち、右側のジッパー端Ｚａを半円形とし、左側のジッパー端Ｚａをコの字形とすることで、消費者が直感的に右側のジッパー端Ｚａに指を押し込むようにしてある。
【００３９】
図９の紙カートンを形成するブランクは、図１０に示すように、背面パネル２に形成されるジッパー端Ｚａが、前面パネル１に形成されるジッパーＺより下方に位置しており、このため、左右の側面パネル３，４のジッパーＺは、背面パネル２のジッパーＺと前面パネル１のジッパーＺとを結ぶ斜め上方向に形成されている。また、前面パネル１のジッパーＺにおける上段の破断線ｂは、天面内側パネル６との境界線上に形成されている。
【００４０】
図９の紙カートンＣは、帯状のジッパーＺを開封することにより、図１１に示すように、背面パネル２の開口αが前面パネル１の開口αより下方に形成される。また、前面パネル１のジッパーＺが天面パネル８の稜線にかけて形成されており、前面パネル１の上方に開口αが形成される。
【００４１】
したがって、電子レンジでの加熱調理後の高温状態の包装袋Ｐを取り出す際に、図１２に示すように、背面パネル２の左右の開口αから露出した包装袋Ｐの側方シール部分Ｐａを把持することが可能であり、さらには、前面パネル１の上方に形成された開口αから包装袋Ｐａを略垂直方向に取り出すことが可能である。これにより、電子レンジでの加熱調理後の高温状態の包装袋Ｐを、さらに安全かつ容易に取り出すことができる。
【００４２】
このように、本発明の紙カートンＣは、背面パネル２に形成されるジッパーＺと前面パネル１に形成されるジッパーＺとの高さが異なり、かつ、側面パネル３，４のジッパーＺが斜め方向に形成される帯状のジッパー７を設けた形態としてもよく、これによりカートン内部の包装袋Ｐの側方シール部分Ｐａを持ちやすくかつ取り出しやすい構成とすることが可能である。
【００４３】
また、このように側面パネル３，４のジッパーＺを斜めにして前面パネル１のジッパーＺの位置を高くすると、開封後にあっても包装袋Ｐをカバーできるので、背シール部分Ｐｂに蒸気逃がし部を形成した包装袋Ｐの場合、その蒸気逃がし部をうかつに触ることを防止できる。そして、図示のごとく、前面パネル１と側面パネル３，４との稜線に両パネルの破断線を連結する切込みによる破断線ｄを設けることで、開封がスムースとなり、かつ、開封後の加熱調理時に包装袋Ｐが内圧で膨れるのに合わせ、前面パネル１が滑らかに凸状に膨張することができる。
【００４４】
また、本発明の紙カートンは、背面パネルに少なくとも１つの開口を形成する構成であればよい。例えば、図１３に示すブランクのように、背面パネル２に１つのジッパー端Ｚａを形成し、ジッパーＺの他端が側面パネル４に至るようにジッパーＺを構成すれば、組み立てた紙カートンＣは図１４に示す形状となる。この紙カートンＣをそのジッパーＺのところで開封すると、図１５に示すように、背面パネル２と前面パネル１とで前後の開口αを形成することが可能であり、そこに露出した包装袋Ｐの側方シール部分Ｐａを把持して紙カートンＣから包装袋Ｐを安全かつ容易に取り出すことができる。
【００４５】
以上、本発明の実施形態について例を挙げて詳細に説明してきたが、本発明による紙カートンは、上記実施の形態に何ら限定されるものではなく、本発明の趣旨を逸脱しない範囲において種々の変更が可能である。
【図面の簡単な説明】
【００４６】
【図１】本発明に係る紙カートンの一例を示すもので、（ａ）は紙カートンの前方斜視図、（ｂ）は同じく後方斜視図である。
【図２】図１の紙カートンを開封状態で示す前方斜視図である。
【図３】図１の紙カートンを形成するブランクの展開図である。
【図４】サック貼りしたブランクを角筒状に起こした状態を示す斜視図である。
【図５】紙カートンに包装袋を収納する様子を示す斜視図である。
【図６】図１の紙カートンを開封する手順を示す説明図である。
【図７】図１の紙カートンを開封した状態で示す斜視図である。
【図８】開封した図１の紙カートンから包装袋を取り出す様子を示す説明図である。
【図９】本発明に係る紙カートンの別の例を示すもので、（ａ）は紙カートンの前方斜視図、（ｂ）は同じく後方斜視図である。
【図１０】図９の紙カートンを形成するブランクの展開図である。
【図１１】図９の紙カートンを開封した状態で示す前方斜視図と後方斜視図である。
【図１２】開封した図９の紙カートンから包装袋を取り出す様子を示す説明図である。
【図１３】本発明に係るさらに別の紙カートンを形成するブランクの展開図である。
【図１４】図１３のブランクを組み立てた紙カートンを示す前方斜視図と後方斜視図である。
【図１５】図１４の紙カートンを開封した状態で示す前方斜視図と後方斜視図である。
【符号の説明】
【００４７】
Ｃ  紙カートン
Ｐ  包装袋
Ｐａ  側方シール部分
Ｐｂ  背シール部分
Ｚ  ジッパー
Ｚａ  ジッパー端
α  開口
１  前面パネル
２  背面パネル
３，４  側面パネル
５  貼合パネル
６  天面内側パネル
７  底面内側パネル
８  天面パネル
９  底面パネル
１０〜１３  折込み片
【図１】
2010018306.tif 000003
【図２】
2010018306.tif 000004
【図３】
2010018306.tif 000005
【図４】
2010018306.tif 000006
【図５】
2010018306.tif 000007
【図６】
2010018306.tif 000008
【図７】
2010018306.tif 000009
【図８】
2010018306.tif 000010
【図９】
2010018306.tif 000011
【図１０】
2010018306.tif 000012
【図１１】
2010018306.tif 000013
【図１２】
2010018306.tif 000014
【図１３】
2010018306.tif 000015
【図１４】
2010018306.tif 000016
【図１５】
2010018306.tif 000017